(57)【要約】【課題】一括で取り外しができ、複数の係止スペースを共用化できるカバー付防水コネクタを提供し、解除性の向上、金型の加工費削減を図る。【解決手段】コネクタハウジング１１と、コネクタハウジング１１内に収容したシール部材１３を保持するホルダ１５と、前記コネクタハウジング１１内に導入される線状体を案内しつつ前記コネクタハウジング１１から導出させるカバー１７とを備える。前記ホルダ１５は、前記コネクタハウジング１１に形成した第１係合部３５に係り止めする第１係止部４３を備える。前記第１係止部４３は、前記カバー１７に形成した第２係止部４９が係り止めされる第２係合部としても用いられる。前記第１係合部３５は前記コネクタハウジング１１に形成された係合突起、前記第１係止部４３は前記係合突起を包囲して係り止めされる係止枠、前記第２係止部４９は可撓首の先端に爪を有した可撓爪部、前記第２係合部は係止枠の先端枠端面を傾斜させた傾斜枠部とすることができる。【選択図】図１
2010211936.tif 000002
【特許請求の範囲】
【請求項１】
コネクタハウジングと、前記コネクタハウジング内に収容したシール部材を保持するホルダと、前記コネクタハウジング内に導入される線状体を案内しつつ該コネクタハウジングから導出させるカバーと、を備えたカバー付防水コネクタであって、
前記ホルダは、前記コネクタハウジングに形成した第１係合部に係り止めする第１係止部を備え、
前記第１係止部は、前記カバーに形成した第２係止部が係り止めされる第２係合部としても用いられることを特徴とするカバー付防水コネクタ。
【請求項２】
請求項１記載のカバー付防水コネクタであって、
前記第１係合部が、前記コネクタハウジングに形成された係合突起であり、
前記第１係止部が、前記係合突起を包囲して係り止めされる係止枠であり、
前記第２係止部が、可撓首の先端に爪を有した可撓爪部であり、
前記第２係合部が、前記係止枠の先端枠端面を傾斜させた傾斜枠部であることを特徴とするカバー付防水コネクタ。
【請求項３】
請求項２記載のカバー付防水コネクタであって、
前記可撓爪部は、前記可撓首が解除治具を挿入する凹部として形成されることを特徴とするカバー付防水コネクタ。
【請求項４】
請求項３記載のカバー付防水コネクタであって、
前記凹部に挿入した解除治具にて加えた係止解除力により前記可撓爪部が係止されたまま、前記係止枠が前記係合突起から外れることを特徴とするカバー付防水コネクタ。
【請求項５】
請求項１〜請求項４のいずれか１項に記載のカバー付防水コネクタであって、
前記第１係合部、前記第１係止部、前記第２係止部及び前記第２係合部から構成される少なくとも一組の多段係止手段と、
前記コネクタハウジングに形成された鉤受部に、前記カバーに形成されたフック部を掛け止めする回動掛止手段と、
を備えることを特徴とするカバー付防水コネクタ。
【発明の詳細な説明】
【技術分野】
【０００１】
本発明は、コネクタハウジングと、これに取り付けられるホルダと、このホルダを挟んでコネクタハウジングに取り付けられるカバーとを備えたカバー付防水コネクタに関する。
【背景技術】
【０００２】
コネクタハウジングから導出される線状体（電線）を、防水シールしつつ覆い、曲げ規制して所望方向へ配線可能とするカバー付防水コネクタが知られている（例えば特許文献１参照）。
図７〜図１１を参照して従来のカバー付防水コネクタを説明する。図７は従来のカバー付防水コネクタの分解斜視図、図８はワイヤカバー取り付け途中の側面図、図９は図８のＡ部拡大図、図１０は組立状態の側面図、図１１は図１０のＢ−Ｂ矢視図である。カバー付防水コネクタ５００は、不図示の電線に固定された端子を収容するコネクタハウジング５０１と、複数の電線シール孔５０３を有するマットシール５０５と、マットシール５０５をコネクタハウジング５０１との間で保持して切れ防止するホルダであるマットシールカバー５０７と、マットシールカバー５０７の電線導出孔５０９から引き出された電線を曲げ規制して覆うワイヤカバー５１１と、を備えてなる。
【０００３】
コネクタハウジング５０１の側面には第１係合部である係合突起５１３が形成され、係合突起５１３にはマットシールカバー５０７の側面に形成された第１係止部である可撓係止爪５１５が係止される。マットシールカバー５０７の側面には第２係合部である係止板５１７が形成され、係止板５１７にはワイヤカバー５１１に形成された第２係止部である係止枠５１９が係止される。図８に示すように、コネクタハウジング５０１には鉤受部５２１が形成され、鉤受部５２１にはワイヤカバー５１１の端部に形成されたフック部５２３が図９に示すようにして掛け止めされる。
【０００４】
カバー付防水コネクタ５００の組立は、コネクタハウジング５０１にマットシール５０５を組付け、係合突起５１３に可撓係止爪５１５を図７の矢印ａの方向から係止して、コネクタハウジング５０１にマットシールカバー５０７を固定する。次いで、ワイヤカバー５１１のフック部５２３をコネクタハウジング５０１の鉤受部５２１に引っ掛け、ワイヤカバー５１１を図８の矢印ｂ方向に回転する。図１０に示すように、ワイヤカバー５１１がコネクタハウジング５０１に組付けられると、図１１に示すように、ワイヤカバー５１１の係止枠５１９が係止板５１７に係止して、ワイヤカバー５１１がマットシールカバー５０７に固定される。これにより、マットシール５０５をマットシールカバー５０７で保持し、その電線導出孔５０９から導出される不図示の電線をワイヤカバー５１１で覆う組み付けが完了する。
【先行技術文献】
【特許文献】
【０００５】
【特許文献１】特開２００３−２７２７６８号公報
【発明の概要】
【発明が解決しようとする課題】
【０００６】
しかしながら、従来のカバー付防水コネクタ５００は、コネクタハウジング５０１にマットシールカバー５０７を固定する第１係合部（係合突起５１３）、第１係止部（可撓係止爪５１５）、及びマットシールカバー５０７にワイヤカバー５１１を固定する第２係止部（係止枠５１９）、第２係合部（係止板５１７）をそれぞれ個別に形成していたため、係止箇所が多数となり、散在するそれぞれの係止箇所で解除作業を行わなければならず、取り外しの際の作業工数が増加した。また、係止箇所が多数となることで、金型加工費が増大する問題もあった。
【０００７】
本発明は上記状況に鑑みてなされたもので、一括で取り外しができるとともに、複数の係止スペースを共用化できるカバー付防水コネクタを提供し、もって、解除性の向上、金型の加工費削減を図ることを目的とする。
【課題を解決するための手段】
【０００８】
本発明に係る上記目的は、下記構成により達成される。
（１）  コネクタハウジングと、前記コネクタハウジング内に収容したシール部材を保持するホルダと、前記コネクタハウジング内に導入される線状体を案内しつつ該コネクタハウジングから導出させるカバーと、を備えたカバー付防水コネクタであって、
前記ホルダは、前記コネクタハウジングに形成した第１係合部に係り止めする第１係止部を備え、
前記第１係止部は、前記カバーに形成した第２係止部が係り止めされる第２係合部としても用いられることを特徴とするカバー付防水コネクタ。
【０００９】
このカバー付防水コネクタによれば、コネクタハウジングの第１係合部に、ホルダの第１係止部が係り止め（係止）することで、コネクタハウジングにホルダが固定され、固定されたホルダの第１係止部に、カバーの第２係止部が係止することで、ホルダにカバーが固定される。したがって、第１係合部に、ホルダ及びカバーが一括して固定される。
【００１０】
（２）  （１）のカバー付防水コネクタであって、
前記第１係合部が、前記コネクタハウジングに形成された係合突起であり、
前記第１係止部が、前記係合突起を包囲して係り止めされる係止枠であり、
前記第２係止部が、可撓首の先端に爪を有した可撓爪部であり、
前記第２係合部が、前記係止枠の先端枠端面を傾斜させた傾斜枠部であることを特徴とするカバー付防水コネクタ。
【００１１】
このカバー付防水コネクタによれば、コネクタハウジングに突設された係合突起を包囲するようにホルダの係止枠が係止され、コネクタハウジングから離反する方向のホルダの離脱が規制される。係合突起に係止した係止枠の傾斜枠部に、カバーの可撓爪部が係止することで、ホルダから離反する方向のカバーの離脱が規制される。
【００１２】
（３）  （２）のカバー付防水コネクタであって、
前記可撓爪部は、前記可撓首が解除治具を挿入する凹部として形成されることを特徴とするカバー付防水コネクタ。
【００１３】
このカバー付防水コネクタによれば、最も外側から係止する可撓爪部の凹部に解除治具が挿入され、この解除治具により係止解除力（係止方向で各係合部、係止部を弾性変形させて係止を解除する力）が加えられることで、第１係止部、第２係止部、第２係合部が係止解除方向に変形可能となる。
【００１４】
（４）  （３）のカバー付防水コネクタであって、
前記凹部に挿入した解除治具にて加えた係止解除力により前記可撓爪部が係止されたまま、前記係止枠が前記係合突起から外れることを特徴とするカバー付防水コネクタ。
【００１５】
このカバー付防水コネクタによれば、係合突起に係止枠が係止し、係止枠の傾斜枠部に可撓爪部が係止した多段状の多段係止手段において、最も外側で係止する可撓爪部の凹部に解除治具により係止解除力が加えられると、変形量、係り止め代の複合的な条件から、各係止部分のうち、係合突起に対する係止枠の係止が解除される。これにより、ホルダとカバーが一体のままコネクタハウジングから取り外しされる。
【００１６】
（５）  （１）〜（４）のいずれか１つのカバー付防水コネクタであって、
前記第１係合部、前記第１係止部、前記第２係止部及び前記第２係合部から構成される少なくとも一組の多段係止手段と、
前記コネクタハウジングに形成された鉤受部に、前記カバーに形成されたフック部を掛け止めする回動掛止手段と、
を備えることを特徴とするカバー付防水コネクタ。
【００１７】
このカバー付防水コネクタによれば、コネクタハウジングにホルダを固定し、コネクタハウジングの鉤受部に、カバーのフック部を引っ掛けて回転させながら組み合わせることで、カバーの可撓爪部が、既にコネクタハウジング側に固定されているホルダの係止枠に係止する。これにより、少なくとも多段係止手段と回動掛止手段の二カ所で、ホルダを挟んだ状態でコネクタハウジングにカバーが固定される。
【発明の効果】
【００１８】
本発明に係るカバー付防水コネクタによれば、コネクタハウジングの第１係合部に係り止めする第１係止部をホルダに設け、第１係止部はカバーの第２係止部が係り止めされる第２係合部としても用いられるので、第１係合部に係止した第１係止部に、第２係止部が重ねて係り止めされ、第１係合部と第１係止部を係止解除すれば、ホルダ及びカバーを、コネクタハウジングから一括で取り外すことができる。また、従来、分散されていた複数の係止スペースを共用化することで、係止部形成のためのスペースを小さくし、コネクタ全体の小型化、金型の簡素化が可能となる。この結果、解除性を向上させ、金型の加工費を削減することができる。
【図面の簡単な説明】
【００１９】
【図１】本発明に係るカバー付防水コネクタの分解斜視図である。
【図２】係合突起及び係止枠の拡大断面図である。
【図３】多段係止手段の拡大断面図である。
【図４】多段係止手段の解除途中における拡大断面図である。
【図５】図１のカバー付防水コネクタにおけるワイヤカバー取り付け途中の側面図である。
【図６】図５のＣ部拡大図である。
【図７】従来のカバー付防水コネクタの分解斜視図である。
【図８】図７のカバー付防水コネクタにおけるワイヤカバー取り付け途中の側面図である。
【図９】図８のＡ部拡大図である。
【図１０】組立状態の側面図である。
【図１１】図１０のＢ−Ｂ矢視図である。
【発明を実施するための形態】
【００２０】
以下、本発明の実施の形態を図面を参照して説明する。
図１は本発明に係るカバー付防水コネクタの斜視図である。
本実施の形態によるカバー付防水コネクタ１００は、コネクタハウジング１１と、コネクタハウジング１１内に収容したシール部材（マットシール）１３を保持するホルダ（マットシールカバー）１５と、マットシールカバー１５から引き出された不図示の線状体（電線）を屈曲して案内しつつ導出させるカバー（ワイヤカバー）１７とに大別構成される。
【００２１】
コネクタハウジング１１は、図中左方が相手側コネクタとの結合側である前部１９となる。コネクタハウジング１１の前部１９には不図示の端子を収容する複数の端子収容室が縦横に並んで形成され、端子収容室はコネクタハウジング１１の前端面で相手側コネクタの端子を進入させる開口孔７７（図５参照）となって開口する。なお、本実施の形態において、カバー付防水コネクタ１００は、コネクタハウジング１１に雌端子を収容する雌型コネクタである。したがって、コネクタハウジング前部１９の開口孔７７には相手側雄型コネクタに収容された雄端子の電気接触部が挿入される。
【００２２】
それぞれの端子収容室に収容された端子は、後端に接続された電線が、コネクタハウジング１１の後部２１から導出される。後部２１にはこれら電線を包囲する周壁２３が形成される。マットシール１３は、シリコーン樹脂製のゲルや弾性体としてのゴム等からなり、端子収容室から導出されるそれぞれの電線を水密に挿通して防水シールする複数の電線シール孔２５を縦横に有している。矩形状に形態されるマットシール１３の外周には防水リブ２７が多段状に突設され、周壁２３内に挿入されたマットシール１３は周壁２３の内面との間がこの防水リブ２７にてシールされる。
【００２３】
マットシール１３を挿入した周壁２３には、後方からさらにマットシールカバー１５が挿入される。つまり、マットシール１３は、コネクタハウジング１１とマットシールカバー１５に挟まれて保持される。マットシールカバー１５にはマットシール１３の電線シール孔２５に応じ電線挿通孔２９が縦横に形成され、電線挿通孔２９はマットシール１３にて防水シールされたそれぞれの電線を挿通してコネクタハウジング１１の外部に導出する。
【００２４】
ワイヤカバー１７は、周壁２３を包囲し、後部２１を覆うようにしてコネクタハウジング１１に組み付けられる。すなわち、ワイヤカバー１７の組付面は、周壁２３を内側に嵌合する嵌合開口（図示せず）となる。嵌合開口は、ワイヤカバー１７の一つの側壁を開放して形成した電線導出穴３１に連続形成される。ワイヤカバー１７がコネクタハウジング１１に組み付けられると、マットシールカバー１５から引き出された複数の電線が、引き出し方向に直交する方向（図１の下方向）に屈曲され、ワイヤカバー１７の電線導出穴３１から束状に纏められて導出される。
【００２５】
図２は係合突起及び係止枠の拡大断面図である。
周壁２３の平行な両側壁３３には第１係合部である一対の係合突起３５が突設され、係合突起３５はマットシールカバー１５の装着方向（図１の矢印ｃ方向）に向かって倒れた乗り越え傾斜面３７と、その反対側の係止傾斜面３９とを有する。コネクタハウジング１１は、合成樹脂材料にて一体成形されており、係合突起３５は後述するマットシールカバー１５、ワイヤカバー１７を保持するために強固に形成される。
【００２６】
マットシールカバー１５の両側壁４１にはコネクタハウジング１１の係合突起３５に係り止めする第１係止部である一対の係止枠４３が形成され、係止枠４３は側壁４１との間に周壁２３及び係合突起３５を挿入する間隙４５を有する。つまり、係止枠４３は、間隙４５に周壁２３を挿入しながら乗り越え傾斜面３７を乗り越え、外側から包囲して係合突起３５に係止する。
【００２７】
図３は多段係止手段の拡大断面図である。
ワイヤカバー１７の両側部４７（図１参照）には第２係止部である一対の可撓爪部４９が形成され、可撓爪部４９は可撓首５１の先端に爪５３を有する。可撓爪部４９は、ワイヤカバー１７がコネクタハウジング１１に接近する方向に押圧されると、先端傾斜面５５にて乗り越え傾斜面３７に摺接し、係合突起３５及び係止枠４３を乗り越えて係止枠４３の先端（図３の下端）に係止する。可撓爪部４９は、係止枠４３の先端枠端面５７を傾斜させた傾斜枠部５９に係止する。つまり、係止枠（第１係止部）４３は、ワイヤカバー１７に形成した可撓爪部（第２係止部）４９が係り止めされる傾斜枠部（第２係合部）５９としても用いられる。
【００２８】
係合突起３５、係止枠４３、可撓爪部４９及び傾斜枠部５９は、多段係止手段６１を構成する。本実施の形態では、カバー付防水コネクタ１００の両側に一対ずつ合計４つの多段係止手段６１が設けられる。本実施の形態では４つの多段係止手段６１が設けられるが、多段係止手段６１の数はこれに限定されない。
【００２９】
図４は多段係止手段の解除途中における拡大断面図である。
可撓爪部４９は、可撓首５１が解除治具６３を挿入する凹部６５として形成される。多段係止手段６１では、最も外側から係止する可撓爪部４９の凹部６５に解除治具６３が挿入され、この解除治具６３により係止解除力（係止方向で各係合部、係止部を弾性変形させて係止を解除する力）が加えられることで、係止枠４３、可撓爪部４９、傾斜枠部５９が係止解除方向に変形可能となる。
【００３０】
図５は図１のカバー付防水コネクタにおけるワイヤカバー取り付け途中の側面図である。
カバー付防水コネクタ１００は、上記した４つの多段係止手段６１と、一つの回動掛止手段６７とを備える。回動掛止手段６７は、周壁２３の両側壁３３に挟まれる１つの側壁６９（図１参照）に形成された鉤受部７１と、ワイヤカバー１７の両側部４７に挟まれる１つの側部７３に形成されたフック部７５とからなる。同図中、７７はコネクタハウジング１１の前端面で開口し相手側コネクタの端子を進入させる開口孔を示す。
【００３１】
図６は図５のＣ部拡大図である。
鉤受部７１は、側壁６９から突出し、コネクタハウジング１１の本体部７９との間に、フック部７５の挿入空間８１を形成する。フック部７５は、挿入空間８１に挿入されて、鉤受部７１の下方（図６の下方）から上側へ引っ掛けられる。回動掛止手段６７は、フック部７５が鉤受部７１に引っ掛けられ、ワイヤカバー１７の他端が図５の矢印ｄ方向に回転され、各多段係止手段６１が係止すると、鉤受部７１からフック部７５が離反不能となって掛止される。また、回動掛止手段６７は、各多段係止手段６１が係止解除され、ワイヤカバー１７の他端が矢印ｄの反対方向に回転されると、鉤受部７１からフック部７５が離脱可能となる。つまり、ワイヤカバー１７は、コネクタハウジング１１から分離可能に組み付けられる。
【００３２】
次に、上記構成を有するカバー付防水コネクタ１００の作用を組立手順とともに説明する。
カバー付防水コネクタ１００を組み立てるには、コネクタハウジング１１に端子を装着する。端子に接続された電線を電線シール孔２５に通したマットシール１３を、周壁２３の内側に挿入する。次いで、マットシール１３を装着した周壁２３の内側にマットシールカバー１５を挿入する。
【００３３】
マットシールカバー１５が図１の矢印ｃ方向に挿入されると、傾斜枠部５９が係合突起３５の乗り越え傾斜面３７を乗り越え、図２に示すように、係合突起３５を包囲するように係止される。これにて、コネクタハウジング１１から離反する方向のマットシールカバー１５の離脱が規制される。全ての係止枠４３が係合突起３５に係止することで、マットシールカバー１５がマットシール１３を挟持した状態でコネクタハウジング１１に装着される。
【００３４】
次いで、図６に示すように、コネクタハウジング１１の鉤受部７１に、ワイヤカバー１７のフック部７５を引っ掛け、図５の矢印ｄ方向に回転させながらワイヤカバー１７をコネクタハウジング１１に組み合わせる。ワイヤカバー１７の可撓爪部４９が、係合突起３５に当接し、さらに押圧されると、既にコネクタハウジング１１側に係止している傾斜枠部５９に摺接して乗り越え、弾性復元力にて傾斜枠部５９の先端枠端面５７に係止する。係合突起３５に係止した係止枠４３の傾斜枠部５９に、ワイヤカバー１７の可撓爪部４９がさらに係止することで、マットシールカバー１５から離反する方向のワイヤカバー１７の離脱が規制される。
【００３５】
これにより、４つの多段係止手段６１と、１つの回動掛止手段６７により、マットシール１３及びマットシールカバー１５を挟んだ状態で、コネクタハウジング１１に対するワイヤカバー１７の組み付けが完了する。
【００３６】
一方、ワイヤカバー１７をコネクタハウジング１１から脱着するには、図４に示したように、可撓爪部４９の凹部６５に挿入した解除治具６３にて、こじり方向（図４中の当接部８３を支点とした矢印Ｍ方向の回転方向等）の係止解除力を加える。多段係止手段６１は、係止解除力が加えられると、可撓爪部４９が係止されたまま、係止枠４３が係合突起３５から外れる。
【００３７】
このように、係合突起３５に係止枠４３が係止し、係止枠４３の傾斜枠部５９に可撓爪部４９が係止した多段係止手段６１では、最も外側で係止する可撓爪部４９の凹部６５に解除治具６３により係止解除力が加えられることで、変形量、係り止め代の複合的な条件から、各係止部分のうち、係合突起３５に対する係止枠４３の係止のみが解除される。これにより、マットシールカバー１５とワイヤカバー１７を一体のまま、コネクタハウジング１１から取り外しできる。
【００３８】
このように、上記のカバー付防水コネクタ１００では、コネクタハウジング１１の係合突起３５に、マットシールカバー１５の係止枠４３が係り止めすることで、コネクタハウジング１１にマットシールカバー１５が固定され、固定されたマットシールカバー１５の係止枠４３に、ワイヤカバー１７の可撓爪部４９が係止することで、マットシールカバー１５にワイヤカバー１７が固定される。つまり、同一位置の係合突起３５に、マットシールカバー１５及びワイヤカバー１７が係止される。これにより、マットシールカバー１５及びワイヤカバー１７の一括固定及び一括固定解除が可能となる。
【００３９】
したがって、上記構成のカバー付防水コネクタ１００によれば、コネクタハウジング１１の係合突起３５に係り止めする係止枠４３をマットシールカバー１５に設け、係止枠４３はワイヤカバー１７の可撓爪部４９が係り止めされる傾斜枠部５９としても用いられるので、係合突起３５に係止した係止枠４３に、可撓爪部４９が重ねて係り止めされ、係合突起３５と係止枠４３を係止解除すれば、マットシールカバー１５及びワイヤカバー１７を、コネクタハウジング１１から一括で取り外すことができる。
【００４０】
また、従来、分散されていた複数の係止スペースを共用化することで、係止部形成のためのスペースを小さくし、コネクタ全体の小型化、金型の簡素化が可能となる。この結果、解除性を向上させながら、金型の加工費を削減することができる。
【００４１】
なお、上記実施の形態によるカバー付防水コネクタ１００は、雌端子を収容する雌型のカバー付防水コネクタを例としたが、本発明は、雄端子を収容する雄型のカバー付防水コネクタに適用しても上記同様の効果を奏する。また、カバー付防水コネクタ１００では、多段係止手段６１と回動掛止手段６７を併設したが、本発明に係るカバー付防水コネクタは、多段係止手段６１のみを複数設けて構成するものであってもよい。
【符号の説明】
【００４２】
１１  コネクタハウジング
１３  マットシール（シール部材）
１５  マットシールカバー（ホルダ）
１７  ワイヤカバー（カバー）
３５  係合突起（第１係合部）
４３  係止枠（第１係止部）
４９  可撓爪部（第２係止部）
５１  可撓首
５３  爪
５７  先端枠端面
５９  傾斜枠部（第２係合部）
６１  多段係止手段
６３  解除治具
６５  凹部
６７  回動掛止手段
７１  鉤受部
７５  フック部
１００  カバー付防水コネクタ
【図１】
2010211936.tif 000003
【図２】
2010211936.tif 000004
【図３】
2010211936.tif 000005
【図４】
2010211936.tif 000006
【図５】
2010211936.tif 000007
【図６】
2010211936.tif 000008
【図７】
2010211936.tif 000009
【図８】
2010211936.tif 000010
【図９】
2010211936.tif 000011
【図１０】
2010211936.tif 000012
【図１１】
2010211936.tif 000013